(57)【要約】【課題】ストリング相互を滑りやすくすることで、ボールを打った瞬間に違和感を感じ難く、ボールのコントロール性に優れ、ボールの初速と終速との差が少なく伸びのあるボールを打つことができる手段を提供する。【解決手段】融点が４９．１℃のパラフィンワックス１０重量部を溶かして液状にした状態でジメチルジクロロシランの重合体１重量部と色素剤０．１重量部とを混合して固めたストリング用塗布剤１を、中央に穴部を有するスポンジ状物２に組み合わせ、スポンジ状物２の底面側を、上下に分割する容器の下側容器３に接着し、該下側容器３を、蓋となる上側容器４と組み合わせることで、ストリング用塗布具とした。【選択図】図１【特許請求の範囲】
【請求項１】
ジメチルジクロロシランの重合体１重量部とワックス５〜２５重量部とを含有する、ストリング用塗布剤。
【請求項２】
ワックスの融点が３５〜６５℃のパラフィンワックスである、請求項１に記載のストリング用塗布剤。
【請求項３】
ジメチルジクロロシランの重合体１重量部とワックス５〜２５重量部とを含有するストリング用塗布剤を、スポンジ状物と組み合わせた、ストリング用塗布具。
【請求項４】
ワックスの融点が３５〜６５℃のパラフィンワックスである、請求項３に記載のストリング用塗布具。
【請求項５】
スポンジ状物が、中央に穴部を有するものである、請求項３又は４に記載のストリング用塗布具。
【発明の詳細な説明】
【技術分野】
【０００１】
本発明は、ストリング用塗布剤及びストリング用塗布具に関する。
詳細には、テニスやバドミントン等に使用されるラケットに張られたストリングに関する。
【背景技術】
【０００２】
ラケットに張られたストリングは、弾力性、反発力等を良好にする技術が求められている。
例えば、ラケットによるボール運びを改善する目的で、樹脂などを被覆剤として用いる技術が知られている（国際公開第ＷＯ９７／４０２２８号パンフレット参照）。
該技術は、低沸点の有機溶剤中１〜５０％のレツェンテ樹脂又は化石質樹脂の溶液からなる被覆剤を用い、縦ストリングと横ストリングが交差する部分を動かないようにストリング相互を付着させることで、ヨレを防ぎ、ボール運びを良好なものとするものである。
【特許文献１】国際公開第ＷＯ９７／４０２２８号パンフレット
【発明の開示】
【発明が解決しようとする課題】
【０００３】
しかしながら、前記の縦横のストリングの交差部分を固定する手段では、使用する人の技術力によって、ボールを打った瞬間に違和感を感じることがあり、ボールのコントロール性に問題が生じることがあった。
そこで、本発明の解決すべき課題は、ボールのコントロール性に優れた手段を提供することにある。
【課題を解決するための手段】
【０００４】
本発明者は、前記の課題を解決するために、鋭意研究を続けた結果、ストリング相互を付着させて動かないようにするよりも、従来の常識とは反対に、ストリング相互を滑りやすくして、自由に動くようにする方が望ましいのではないかと考えた。
そして、本発明者は、使用環境、耐久性、伸縮性等のストリングに求められる条件を満足しつつ、ストリング相互を滑りやすくするための手段を鋭意研究し、ジメチルジクロロシランの重合体とワックスとを含有した潤滑剤が、有効であることを見出し、本発明を完成するに到った。【０００５】
すなわち、本発明の課題を解決するための手段は、次のとおりである。【０００６】
第１に、ジメチルジクロロシランの重合体１重量部とワックス５〜２５重量部とを含有する、ストリング用塗布剤。
第２に、ワックスの融点が３５〜６５℃のパラフィンワックスである、第１に記載のストリング用塗布剤。
第３に、ジメチルジクロロシランの重合体１重量部とワックス５〜２５重量部とを含有するストリング用塗布剤を、スポンジ状物と組み合わせた、ストリング用塗布具。
第４に、ワックスの融点が３５〜６５℃のパラフィンワックスである、第３に記載のストリング用塗布具。
第５に、スポンジ状物が、中央に穴部を有するものである、第３又は第４に記載のストリング用塗布具。【０００７】
ここで、融点が、３５〜６５℃、好ましくは４０〜６０℃、より好ましくは４０〜５０℃のパラフィンワックスは、融点が５０〜７５℃のパラフィンワックスとは異なる低融点タイプのものとして調製されたものを示す。
また、スポンジ状物とは、海中動物であるカイメンと同様に、柔軟性、弾性に富む多孔質の物のことを示し、代表的な合成物として軟質ウレタンフォーム（軟質発砲ウレタン）が例示される。
このスポンジ状物をストリング用塗布剤と組み合わせる際に、例えば、中央に穴部を有するスポンジ状物の穴部にストリング用塗布剤を納め、ストリング用塗布剤の側壁の周囲をスポンジ状物で囲むようにすることで、断熱効果が得られ、炎天下のコート等の過酷な条件でもワックスが溶けることを防止できる。
【発明の効果】
【０００８】
本発明によると、縦ストリングと横ストリングが交差する部分の動きを妨げないようにすることで、ボールがストリングに接触した際に、ボールの接触箇所に応じて、縦ストリングと横ストリングが交差する部分が動いてずれが生じる。
具体的には、縦ストリングと横ストリングがお互いにすべって、縦ストリングが長さ方向と直角の方向に伸びて交差点がずれる。
さらに、ストリングを潤滑すると、縦ストリングの直角方向へのずれが大きくなって、結果として回転がかかりやすくなり（ボールの回転角速度が増す）、接触時間も長くなり、振動が大きく低減することが確認された。
そして、インパクト部分が局部的に深く沈み込むように大きく凹んで変形するが、特に縦ストリングがずれることで、ボールがストリングに食い込み、スピンがかかりやすくなる上に、ボールをリリースする前にずれたストリングが次々に元の位置に戻ることで、よりスピンがかかりやすくなり、ホールド性を向上させることができる。
また、ホールド性が向上するので、スウィートエリアを外れても、ボールのコントロールが容易であり、ボールのコントロール性に優れている。
さらに、ボールの接触箇所に応じて、縦ストリングと横ストリングが交差する部分が動いて、インパクト部分が局部的に深く沈み込むように大きく凹んで変形することにより、ボールの初速と終速との差が少なくなり、伸びのあるボールを打つことが可能になる。
このような効果は、使用によって傷がついたストリングに対して、特に有効な結果を示す。
【図面の簡単な説明】
【０００９】
【図１】本発明に係るストリング用塗布具の斜視図
【符号の説明】
【００１０】
１  ストリング用塗布剤
２  スポンジ状物
３  下側容器
４  上側容器
【実施例１】
【００１１】
以下に、本発明について、実施例を挙げて説明するが、本発明の技術的範囲は以下の実施例に限定されるものではない。
また、以下の例に係るストリング用塗布剤は、ワックスとして日本精蝋株式会社製のＥＭＷ−０００１という融点が４９．１℃である低融点パラフィンワックスを用い、ジメチルジクロロシランの重合体として信越化学工業株式会社製のＫＦ−９６を用い、更に、色素剤としてオリエント化学工業株式会社製の黄色の色素剤を用いた。【００１２】
原料として、ジメチルジクロロシランの重合体１重量部に対して、低融点パラフィンワックス１５重量部と、色素剤０．１重量部の割合になるように準備した。
そして、低融点パラフィンワックスを溶かして液状にし、液状のジメチルジクロロシランの重合体と、粉末状の色素剤とを混合した。
該液状の混合物を、直径２ｃｍ、高さ１．６ｃｍ程度の円筒状の型に入れ、室温で放置して固め、本実施例に係るストリング用塗布剤を得た。
【実施例２】
【００１３】
本実施例は、図１の本発明に係るストリング用塗布具の斜視図を参照しながら説明する。
実施例１で得たストリング用塗布剤１を、スポンジ状物２に組み合わせることで、ストリング用塗布具を得た。
ここで、スポンジ状物２は、直径４ｃｍ、高さ２ｃｍ程度の円柱型で、中央に直径２ｃｍ、深さ１．６ｃｍ程度の穴部を有するものである。
そして、ストリング用塗布剤１を、スポンジ状物２の穴部に納めることで、ストリング用塗布剤１の側壁の周囲及び底面側をスポンジ状物２で囲むようにした。
さらに、スポンジ状物２の底面側を、上下に分割する容器の下側容器３に接着した。
該下側容器３を蓋となる上側容器４と組み合わせ、ストリング用塗布具を容器に納めることで、容器収納タイプのストリング用塗布具が得られる。
上記の容器収納タイプのストリング用塗布具は、使用の際に、蓋となる上側容器４を外して、下側容器３の部分を持って、ストリング用塗布剤１をラケットのストリングに塗り込むようにすれば、スポンジ状物２により、ストリング用塗布剤１の塗り込みと拭き取りが行われるので、手を汚すことなく使用できる。
また、本実施例のストリング用塗布具は、スポンジ状物２による断熱効果により、炎天下のコートや車中等の過酷な条件でもワックスが溶けることを防止できる。
【試験例１】
【００１４】
ラケットに５０（lbs）で張った新品のストリングに対して、１時間程度のラリーを行い、使用後のものとした。
本発明区として、使用後のストリングに対して、前記実施例２で得た容器収納タイプのストリング用塗布具を使用し、ストリング用塗布剤を塗布し、テスターによりラリーを行い、初速と終速を測定した。
対照区１として、使用後のストリングをそのまま用い、テスターによりラリーを行い、初速と終速を測定した。
対照区２として、新品のストリングを用い、テスターによりラリーを行い、初速と終速を測定した。
結果は、本発明区は、初速１０７ｋｍ／ｈ、終速６４ｋｍ／ｈなので差が４３ｋｍ／ｈであり、対照区１は、初速１０６ｋｍ／ｈ、終速４０ｋｍ／ｈなので差が６６ｋｍ／ｈであり、対照区２は、初速１０９ｋｍ／ｈ、終速６５ｋｍ／ｈなので差が４４ｋｍ／ｈであった。
結果を考察すると、本発明区は初速と終速との差が対照区１より少なく、球に伸びがあることが確認された。
【試験例２】
【００１５】
試験例１と同様に、ラケットに５０（lbs）で張った新品のストリングに対して、１時間程度のラリーを行い、使用後のものとした。
本発明区として、使用後のストリングに対して、前記実施例２で得た容器収納タイプのストリング用塗布具を使用し、クロス部にストリング用塗布剤を塗布し、テスターが打つ瞬間を、秒速１万コマの撮影が可能な高速度カメラで撮影した。
各試験例で用いる高速度カメラは、株式会社ナック製のインパクト画像解析用高速ビデオカメラ（ＥＭＲＥＣＡＭ  ｆｘ６０００）であった。
対照区１として、使用後のストリングをそのまま用い、テスターが打つ瞬間を、同様のの高速度カメラで撮影した。
対照区２として、新品のストリングを用い、テスターが打つ瞬間を、同様の高速度カメラで撮影した。
そして、各区について、（ａ）接触時間ストリングを離れた直後のボールの回転速度、（ｂ）ボールとストリングの接触時間、（ｃ）ストリングを離れた直後のボールの直線速度を求めた。
ここで、高速度カメラにより撮影した画像を分析した結果、本発明区は、対照区１、対照区２と比較した場合に、ストリングのずれがボールのリリース前に戻ることで回転を加速していることが確認された。
具体的には、ボールの回転速度について、対照区１が１１８０ｒｐｍであるの対し、本発明区が２４６０ｒｐｍであった。
また、対照区１は、接触時間が約３．０ｍｓ、打球速度が３１．８ｍ／ｓであるのに対し、本発明区は、接触時間が約４．２ｍｓ、打球速度が２４．２ｍ／ｓであった。
結果を考察すると、本発明区が、対照区１と比較して、明らかに接触時間が長くなる傾向が確認され、対照区２と比較した場合でも、接触時間が長くなる傾向が確認された。
そして、本発明区では塗布剤を塗ると（クロス部にしみこむ）、縦ストリングが直角方向へ大きくずれ、ボールが離れるときには元に戻っているのが確認できた。
これに対し、対照区１では、ボールが離れても縦ストリングがまだ一部横にずれたままになっているのが確認された。
さらに、テスターは、使用の際のフィーリングについて、本発明区の方が、対照区１より、スピンがかかりやすく、ボールを包む感覚が高くコントロール性や打球感が明らかに好ましいと判断し、対照区２より、コントロール性や打球感が好ましい場合があると判断した。
加えて、本発明区は、対照区１と比較して、振動が少なくなることが確認された。
すなわち、従来のボールとストリングの摩擦が大きいほどスピンがかかりやすいという仮説とは異なり、縦ストリングと横ストリングがお互いにすべって、縦ストリングが長さ方向と直角の方向に伸びて交差点がずれること、さらに、ストリングを潤滑すると、縦ストリングの直角方向へのずれが大きくなって、結果として回転がかかりやすくなり（ボールの回転角速度が増す）、接触時間も長くなることが確認された。
なお、本発明区、対照区１、対照区２のいずれについても、ボールとラケットが接触している間のラケット面の角度の変化はほとんどなく、この間のラケットによるスピン操作は不可能であった。
【試験例３】
【００１６】
試験例２と同様の条件で、対照区１および発明区について、３回の試打を行い、（ａ）ストリングを離れた直後のボールの回転速度、（ｂ）ボールとストリングの接触時間、（ｃ）ストリングを離れた直後のボールの直線速度を測定し、両区の各値について平均値を求めた。
その結果、対照区１は、回転速度が１６００ｒｐｍ、接触時間が３．２ｍｓ、直線速度が３０ｍ／ｓであるのに対し、発明区は、回転速度が２２００ｒｐｍ、接触時間が４．０ｍｓ、直線速度が２８．０ｍ／ｓであった。
ここでも、発明区について、スピン量が増し、接触時間が長くなり、打球速度が少し低減することが確認された。
このように、接触時間が長くなり、打球速度が低減すると、インパクトの最大衝突力も低減し、手に伝わる衝撃振動も小さくなる。
具体的に、対照区１および発明区について、曲げ振動の変位振幅、手首関節の衝撃振動波形を求めたところ、本発明区は、接触時間が長くなると振動が大きく低減することが確認された。
さらに、５０人以上のプレヤーに発明区の試打の結果をアンケートしたところ、「いい感じ」「ホールド感が増す」「ボールをくわえる感覚が高まる」「打球感がマイルドになる」などの感覚的打球感を得ることができた。
ボール・コントロールには、適切なスピン（回転）が必要であり、スピンの良くかかったボールはバウンドしてから鋭く跳ねて伸びてくる。
すなわち、従来の仮説とは異なり、縦ストリングと横ストリングがお互いにすべって、縦ストリングが長さ方向と直角の方向に伸びて交差点がずれること、さらに、ストリングを潤滑すると、縦ストリングの直角方向へのずれが大きくなって、結果として回転がかかりやすくなり（ボールの回転角速度が増す）、接触時間も長くなることを示した。
【図１】
2005120652.tif 000002
【国際調査報告】
2005120652.tif 000003
2005120652.tif 000004